(57)【特許請求の範囲】
【請求項１】
スプールを回転させることによりフィルムをシェルに対してこのシェルに設けた出入口から出し入れ可能にし、
前記出入口には開閉可能にした回転ドアが設けられ、
前記スプールの一方の軸端には使用状態表示部材が係合され、
前記使用状態表示部材に近接する前記シェルには複数の切り抜き窓があけられ、
前記フィルムの巻き上げ終了の状態で前記スプールの回動と前記回転ドアの回動を規制するロック部材を備える写真フィルムカートリッジを装填し、
前記フィルムの巻き上げ終了の状態から巻上ノブの回転にドアドライバを連動させ前記回転ドアを回動して閉じ、この回転ドアの回動により前記ロック部材を作動させて、前記スプールを回転させて前記使用状態表示部材を移動し前記切り抜き窓に使用状態の表示を行なうフィルム一体型カメラにおいて、
前記回転ドアの閉時の回動により前記ロック部材の突起が前記スプールに形成される歯形車の谷に位置し、前記切り抜き窓に使用状態の表示を行ない、
前記使用状態の切替え表示後に前記回転ドアが閉じ終わり、
前記使用状態の表示の切替タイミングより前記回転ドアの閉じ終わりタイミングを遅らせ、前記使用状態の表示を切り替えた後に前記回転ドアを閉じ終わるように構成したことを特徴とするフィルム一体型カメラ。
【請求項２】
前記回転ドアの閉時にカムの回動により前記ロック部材の突起が、前記スプールの一方の端部に同心に設けられた山と谷で形成される歯形車の谷に位置し、この後に前記回転ドアが閉じ終わるように構成したことを特徴とする請求項１記載のフィルム一体型カメラ。
【請求項３】
前記使用状態の表示が、露光済であることを特徴とする請求項１または請求項２記載のフィルム一体型カメラ。
【発明の詳細な説明】
【０００１】
【発明の属する技術分野】
この発明は写真フィルムカートリッジを予め装填したフィルム一体型カメラに関する。
【０００２】
【従来の技術】
このようなフィルム一体型カメラに装填される写真フィルムカートリッジは、例えばスプールを回転させることによりフィルムをシェルに対してこのシェルに設けた出入口から出し入れ可能にし、出入口には開閉可能にした回転ドアが設けられ、スプールの一方の軸端には使用状態表示部材が係合され、この使用表示部材に近接するシェルには複数の切り抜き窓があけられ、さらにフィルムの巻き上げ状態でスプールの回動と回転ドアの回動を規制するロック部材を備えるものがある。
【０００３】
このような写真フィルムカートリッジは、撮影が終了して巻上ノブでフィルムを巻き上げると、フィルムの巻き上げにより巻上ノブの回転にドアドライバを連動させ回転ドアを閉じ、この回転ドアの回動によりロック部材を作動させて、切り抜き窓に使用状態の表示を行ない、フィルム一体型カメラから写真フィルムカートリッジを取り出すときにフィルムが誤って露光しないようにしている。
【０００４】
【発明が解決しようとする課題】
この巻上ノブの回転にドアドライバを連動させ、回転ドアを閉じる工程に生じるバックラッシュや製品公差、あるいは回転ドアに生じる撓みやよじれ等により、回転ドアが完全に閉じないのに回転ドアの回動によりロック部材が作動し、スプールの回動と回転ドアの回動を規制すると共に、切り抜き窓に使用状態の表示を行なうことがある。このため、撮影後現像するとき、フィルム一体型カメラから写真フィルムカートリッジを取り出すときに誤って回転ドアの隙間から露光するおそれがある。
【０００５】
この発明はこのような点に鑑みてなされたもので、写真フィルムカートリッジの回転ドアを確実に閉じて誤ってフィルムが露光することを防止するフィルム一体型カメラを提供することを目的としている。
【０００６】
【課題を解決するための手段】
前記課題を解決し、かつ目的を達成するために、請求項１記載の発明は、スプールを回転させることによりフィルムをシェルに対してこのシェルに設けた出入口から出し入れ可能にし、
前記出入口には開閉可能にした回転ドアが設けられ、
前記スプールの一方の軸端には使用状態表示部材が係合され、
前記使用状態表示部材に近接する前記シェルには複数の切り抜き窓があけられ、
前記フィルムの巻き上げ終了の状態で前記スプールの回動と前記回転ドアの回動を規制するロック部材を備える写真フィルムカートリッジを装填し、
前記フィルムの巻き上げ終了の状態から巻上ノブの回転にドアドライバを連動させ前記回転ドアを回動して閉じ、この回転ドアの回動により前記ロック部材を作動させて、前記スプールを回転させて前記使用状態表示部材を移動し前記切り抜き窓に使用状態の表示を行なうフィルム一体型カメラにおいて、
前記回転ドアの閉時の回動により前記ロック部材の突起が前記スプールに形成される歯形車の谷に位置し、前記切り抜き窓に使用状態の表示を行ない、
前記使用状態の切替え表示後に前記回転ドアが閉じ終わり、
前記使用状態の表示の切替タイミングより前記回転ドアの閉じ終わりタイミングを遅らせ、前記使用状態の表示を切り替えた後に前記回転ドアを閉じ終わるように構成したことを特徴としている。使用状態の表示の切替タイミングより回転ドアの閉じ終わりタイミングを遅らせ、使用状態の表示を切り替えた後に回転ドアを閉じるため、回転ドアを閉じる工程に生じるバックラッシュや製品公差、あるいは回転ドアに生じる撓みやよじれ等が生じても、回転ドアがロックされることなく確実に閉じることができ、誤ってフィルムが露光することを防止することができる。
【０００７】
請求項２記載の発明は、前記回転ドアの閉時にカムの回動により前記ロック部材の突起が、前記スプールの一方の端部に同心に設けられた山と谷で形成される歯形車の谷に位置し、この後に前記回転ドアが閉じ終わるように構成したことを特徴としている。ロック部材の突起が、歯形車の谷に位置した後に回転ドアが閉じ終わるから、ロック部材によって回転ドアがロックされることなく確実に閉じることができる。
【０００８】
請求項３記載の発明は、前記使用状態の表示が、露光済であることを特徴としている。ユーザに、確実に露光済であることを知らせることができる。
【０００9】
【発明の実施の形態】
次に、この発明のフィルム一体型カメラの実施の形態について説明する。図1はフィルム一体型カメラのカメラカバーを外した状態の巻上部の平面図、図2はフィルム一体型カメラのカメラカバーを外しツールアクセスカバーを二点鎖線で示した状態の巻上部の平面図、図3はフィルム一体型カメラのカメラカバーを外した状態の巻上部の側面図、図4は写真フィルムカートリッジの分解斜視図、図5及び図6は写真フィルムカートリッジの一端及び他端より見た外観斜視図であり、図7は後者の側より見て、一部を切って、中が見えるようにした斜視図、図8は写真フィルムカートリッジを構成するフィルムスプールの斜視図であり、図9はフィルムの使用状態表示ができるようにしたことを示す、写真フィルムカートリッジの一方から見た側面図、図10は回転ドアを作動する状態を示す図である。
【００１０】
フィルム一体型カメラ１００は、写真フィルムカートリッジ１が装填された状態で市販に供される簡易なカメラで、写真フィルムカートリッジ１がカメラの組立工程で装填され、ユーザーのフィルム２９の装填や巻き戻し等の操作が不要になり、ユーザーは直ちに撮影することができる。
【００１１】
このフィルム一体型カメラ１００は、カメラ本体１０１に前カバー１０２と後カバー１０３とを両側から組み付けて構成され、カメラ本体１０１の右側にカートリッジ収納部１０４には、写真フィルムカートリッジ１が装填されている。写真フィルムカートリッジ１は、図４乃至図９に示すように構成され、これ等の図に示される構成部品は殆ど全部遮光のためカーボンブラックの混練されたプラスチック部材で作られている。
【００１２】
そして、それ等の構成部材は、一対のシェルトップ５及びシェルボトム７からなるシェル３と、フィルム２９の先端部をコア１５に係止して巻き取りと送り出しを可能にするスプール１１がシェル３に回転可能に組み込まれている。また、スプール１１に巻き付けられるフィルム２９が出入りするシェル３の出入口には回転ドア９が設けられている。回転ドア９は写真フィルムカートリッジ１がカメラに装填されているときは開かれているが、カメラから外されるときは閉じて中のフィルムが遮光されているようにしてある。また、回転ドア９の端部にはカム３１が設けられている。そして、回転ドア９の閉時には、カム３１の回動により、介在するロック部材１７が押さえ込まれ、スプール１１の一方の端部に同心に設けられ、山２１と谷２３で形成される歯形車の谷２３にロック部材１７の突起３３が弾性的に押しつけられ回転抑止がなされ、振動等により自然にスプール１１が回転してしまうことを防止している。しかし、カメラの内部で撮影待機中や、カメラから取り出されて現像のためにフィルムが送り出されるときは回転ドア９が開いて出入口が形成されるが、そのときはカム３１がロック部材１７の押圧を解除する。そして、ロック部材１７の突起３３はスプール１１の回転により歯形車の山２１と谷２３の間の斜面で軽く押し上げられ、スプールの回転ロックが解除され、フィルム２９はスプール１１の回転により写真フィルムカートリッジ１のシェル３から外に出されたり、また、反対方向のスプール１１の回転により巻き取られたりすることができるようになる。
【００１３】
スプール１１は図４，図７，図８に示すように使用状態表示部材４３を係合しており、また、その内側に１組の弾性的な同心のフランジ円板２５，２７を支持している。そして、フランジ円板２５，２７の間にはフィルム２９をロールの形でスプール１１のコア１５の部分に巻き付けて収容している。
【００１４】
次に、ヨーロッパ特許公開公報６２５７２５等に公知の写真フィルムカートリッジ１はフィルム露光状態が表示できるようになっているが、それについて説明する。
【００１５】
図６に示すようにシェル３を構成するシェルトップ５及びシェルボトム７には、それぞれスプール１１をロックする側の端にそれぞれ切り抜き窓３５，３７，３９，４１の形による４個の状態表示窓を設けてある。そして一例として次のように規定しておく。円形の切り抜き窓３５が図９（ａ）に示すように使用状態表示部材４３の使用状態表示部分４４で塞がれているときにはフィルム２９が未使用即ち未露光であることを表示する。同様に半円形の切り抜き窓３７が図９（ｂ）に示すように使用状態表示部材４３の使用状態表示部分４４で塞がれているときは、フィルム２９が一部露光済みであることを表示し、Ｘ字形の切り抜き窓３９が図９（ｃ）に示すように使用状態表示部分４４で塞がれているときはフィルム２９が、完全に露出済みであることを表示する。また、正方形の切り抜き窓４１が図９（ｄ）に示すように使用状態表示部分４４で塞がれているときは、フィルム２９が露光済みフィルムに記録された潜像画像が現像機で現像済みであることを表示する。
【００１６】
図4及び図8に示すように、黒以外の明るい色の使用状態表示部材４３はその外縁がコア１５と同心になるように固定され、スプール１１の巻き取り方向及び送り出し方向への回転に伴って一体に回転する。図6に示すように使用状態表示部材４３は出荷時にはフィルムメーカによって、円形の切り抜き窓３５の直下に位置するようにスプール１１の回転方向位置が固定され、それによってフィルム２９が未使用即ち未露光であることを目視可能にしてある。このとき写真フィルムカートリッジ１の色は黒色であるが、使用状態表示部材４３の使用状態表示部分４４は前述のように表面が明色になっている。その結果、実際の写真フィルムカートリッジ１では表示部材４３の使用状態表示部分４４が切り抜き窓３５，３７，３９，４１の中の何れか１つの位置の直下にあることが容易に確認され、それによってその写真フィルムカートリッジ１のフィルム使用状態が正確に把握可能となる。
【００１７】
次に、写真フィルムカートリッジ１には、バーコード付き円板４５がスプール１１に設けられているが、それについて説明する。図４及び図８に示すようにスプール１１はプラスチック製の円板４５を含み、円板４５は第１の半径寸法を持つ第１の扇形部分ＤＳと第１の半径寸法より小さい第２の半径寸法をもつ第２の扇形部分ＱＺとを持っている。
【００１８】
そして放射状のバーコードつき円板４５は写真フィルムカートリッジ１の例えば駆動側端部でスプール１１のコア１５上に取り付けられる。コア１５は円板４５の中央の開孔穴４７を通って外方に少し延びている。写真フィルムカートリッジ１内に収納されるフィルムの特性に関するデータを備えた放射状バーコードは円板４５の扇形部分ＤＳに固定表示するが、このバーコードはラベルに印刷をしたものを貼り付ける方法があり、これでは、貼りにくく曲がりが出たり、貼り損ないも出て工数をかなりくっている。従って、このバーコードは円板４５に直接印刷してしまうことが望ましい。印刷手段としてはスプール１１のフィルム係止位置の回転方向位置や、使用状態表示部材４３の回転方向位置に対応して決められるバーコードの基準位置に正確に印刷することが必要である。
【００１９】
バーコードはＤＳの部分に白黒のバーを規定の寸法通りに印刷しクワイエトゾーン（ＱＺ）の部分は黒色であるので印刷は施さずカーボンブラックで混練成形したままにしておけばよい。
【００２０】
円板４５のバーコード印刷域である扇形部分ＤＳの外縁半径はシェル３の外縁部５８にほぼ近接した寸法にしてあり、クワイエトゾーンの扇形部ＱＳの外縁半径は、ＤＳ部分のそれよりはかなり小さくしてあり、この隙間を利用し、写真フィルムカートリッジ１がカメラのカートリッジ収納部１０４に装填されるとき、露出が防止される構造にしてある。
【００２１】
バーコード情報及びＱＺ情報は写真フィルムカートリッジ１のシェル３の端部開口部５４，５６に対応するカメラのカートリッジ収納部１０４に設けられた不図示のセンサーによって、フィルムの種類、撮影画面数、感度などのフィルム情報がカメラに記憶される。
【００２２】
このようにしてスプール１１の一端近傍に設けられたバーコード円板４５は、そのＤＳ部及びＱＺ部を形成して、バーコードとスプール１１の他端に設けられた使用状態表示部材４３とは、スプール回転方向に対して所定の角度を保ち連係した役割を果たしているが、円板４５へのバーコード印刷手段は前述のように正確な位置に簡単容易で安定して印刷されることが必要である。
【００２３】
一方、前述したとおり、使用状態表示部材４３のうち、使用状態表示部分４４が切り抜き窓から観察されることによって、カートリッジ内部へ収納されたフィルムの使用状態が把握される。この場合、使用状態表示部分４４がどの切り抜き窓の直下に位置しているか、使用者に明確に示さなければならないので、使用状態表示部分４４はカートリッジ本体とは異なった色、好ましくは白色などの比較的明るい色にすることが好ましい。
【００２４】
カメラのカートリッジ収納部１０４に装填された写真フィルムカートリッジ１は、スプール１１の端部１１ａが巻上ノブ１０５の軸部１０５ａに係合し、また回転ドア９の端部９ａがドアドライバ１０６の軸部１０６ａに係合し、回転ドア９を開いた状態で巻上ノブ１０５を矢印方向へ回転すること、スプール１１が連動して回転してフィルム２９が巻上可能になる。巻上ノブ１０５はカメラ本体１０１に設けられたストッパ１０７で逆方向の回転が規制されている。
【００２５】
また、カメラ本体１０１のピン部１０４ａには、ツールアクセスカバー１０８が回動可能に、孔部１０４ｂにはドアドライバ１０６が回転可能に設けられ、このツールアクセスカバー１０８のギヤ１０８ａとドアドライバ１０６のギヤ１０６ｂが噛み合って連動して回転可能になっている。
【００２６】
ツールアクセスカバー１０８は、現像時に写真フィルムカートリッジ１を押し出すために工具が挿通する切欠部１０８ｂと、巻上ノブ１０５に形成された環状リブ１０５ｂに当接し巻上ノブ１０５の所定の回転で切欠部１０５ｃに係合する爪部１０８ｃと、巻上ノブ１０５の歯部１０５ｄに係合して回転を規制するストッパ部１０８ｄとを有している。ツールアクセスカバー１０８のピン部１０８ｅと、カメラ本体１０１のピン部１０４ｃとの間には、スプリング１０９が設けられ、このスプリング１０９でドアドライバ１０６を常に閉じ方向に回転可能に付勢している。
【００２７】
写真フィルムカートリッジ１は、円形の切り抜き窓３５が図9（ａ）に示すように使用状態表示部材４３の使用状態表示部分４４で塞がれているときにはフィルム２９が未使用即ち未露光であることを表示する。スプール１１の端部１１ａが巻上ノブ１０５の軸部１０５ａに係合し、また回転ドア９の端部９ａがドアドライバ１０６の軸部１０６ａに係合し、回転ドア９を開いた状態で巻上ノブ１０５を矢印方向へ回転すること、スプール１１が連動して回転してフィルム２９が巻上可能になり、スプール１１の回転で半円形の切り抜き窓３７が図9（ｂ）に示すように使用状態表示部材４３の使用状態表示部分４４で塞がれているときは、フィルム２９が一部露光済みであることを表示する。
ドアドライバ１０６は、写真フィルムカートリッジ１から繰り出されているフィルム２９に当接するフィルム検知アーム部１０６ｃを有している。ドアドライバ１０６のフィルム検知アーム部１０６ｃがフィルム２９に当接している状態では、ドアドライバ１０６の回転が規制され、スプール１１の回転でフィルム２９の巻き上げが終了し、Ｘ字形の切り抜き窓３９が図9（ｃ）に示すように使用状態表示部分４４で塞がれているときはフィルム２９が、完全に露出済みであることを表示する。
スプール１１の回転でフィルム２９の巻き上げが終了したタイミングでフィルム検知アーム部１０６ｃがフィルム２９に当接している状態が解除されるためドアドライバ１０６が回動可能になる。このため、スプリング１０９によりツールアクセスカバー１０８とドアドライバ１０６が連動する。ツールアクセスカバー１０８が図10（ａ）に示すように矢印方向に回転し、爪部１０８ｃが巻上ノブ１０５の環状リブ１０５ｂに当接して回転が規制される。巻上ノブ１０５の回転により切欠部１０５ｃが爪部１０８ｃの位置に到達すると、図10（ｂ）に示すように爪部１０８ｃが切欠部１０５ｃに入り込み、巻上ノブ１０５の回転により爪部１０８ｃを介してツールアクセスカバー１０８が強制的に回転する。
【００２８】
このツールアクセスカバー１０８の強制的な回動により図10（ｃ）に示すようにドアドライバ１０６が連動して回転し、回転ドア９を閉じる。この回転ドア９の回動により、回転ドア９の端部に設けたカム３１によりロック部材１７が押さえ込まれる。すなわち、スプール１１の一方の端部に同心に設けられ、山２１と谷２３で形成される歯形車の谷２３にロック部材１７の突起３３が弾性的に押しつけられ回転抑止がなされ、振動等により自然にスプール１１が回転してしまうことを防止し、Ｘ字形の切り抜き窓３９が図9（ｃ）に示すようにスプール１１に設けた使用状態表示部材４３の使用状態表示部分４４で塞がれているときはフィルム２９が、完全に露出済みであることを表示する。これにより、ユーザに確実に露光済であることを知らせることができる。
【００２９】
このような回転ドア９の回動によりロック部材１７を作動させて、切り抜き窓３９に露光済の表示を行なうフィルム一体型カメラ１００において、回転ドア9の閉時の回動によりロック部材17の突起33がスプール11の端部に形成される歯形車の谷23に位置し、スプール１１に設けた使用状態表示部材４３の使用状態表示部分４４で塞がれているときはフィルム２９が完全に露出済みであることを表示する。この切り抜き窓39に使用状態の表示を行ない、使用状態の切替え表示後に回転ドア9が閉じ終わり、使用状態の表示の切替タイミングより回転ドア９の閉じ終わりタイミングを遅らせ、使用状態の表示を切り替えた後に回転ドア９を閉じるように構成している。即ち、回転ドア９の閉時にカム３１の回動によりロック部材１７の突起３３が、スプール１１の一方の端部に同心に設けられた山２１と谷２３で形成される歯形車の谷２３に位置し、この後に回転ドア９が閉じ終わる。このように、ロック部材１７の突起３３が、歯形車の谷２３に位置した後に回転ドア９が閉じ終わるから、ロック部材１７によって回転ドア９がロックされることなく確実に閉じることができる。
【００３０】
従って、使用状態の表示の切替タイミングより回転ドア９の閉じ終わりタイミングを遅らせ、使用状態の表示を切り替えた後に回転ドア９を閉じるため、回転ドア９を閉じる工程に生じるバックラッシュや製品公差、あるいは回転ドア９に生じる撓みやよじれ等が生じても、回転ドア９がロックされることなく確実に閉じることができ、誤ってフィルムが露光することを防止することができる。
【００３１】
【発明の効果】
前記したように、請求項１記載の発明では、使用状態の表示の切替タイミングより回転ドアの閉じタイミングを遅らせ、使用状態の表示を切り替えた後に回転ドアを閉じるから、回転ドアを閉じる工程に生じるバックラッシュや製品公差、あるいは回転ドアに生じる撓みやよじれ等が生じても、回転ドアがロックされることなく確実に閉じることができ、誤ってフィルムが露光することを防止することができる。
【００３２】
請求項２記載の発明では、ロック部材の突起が、歯形車の谷に位置した後に回転ドアが閉じ終わるから、ロック部材によって回転ドアがロックされることなく確実に閉じることができる。
【００３３】
請求項３記載の発明では、使用状態の表示が、露光済であり、ユーザに確実に露光済であることを知らせることができる。
【図面の簡単な説明】
【図１】フィルム一体型カメラのカメラカバーを外した状態の巻上部の平面図である。
【図２】フィルム一体型カメラのカメラカバーを外しツールアクセスカバーを二点鎖線で示した状態の巻上部の平面図である。
【図３】フィルム一体型カメラのカメラカバーを外した状態の巻上部の側面図である。
【図４】写真フィルムカートリッジの分解斜視図である。
【図５】写真フィルムカートリッジの一端より見た外観斜視図である。
【図６】写真フィルムカートリッジの他端より見た外観斜視図である。
【図７】後者の側より見て、一部を切って、中が見えるようにした斜視図である。
【図８】写真フィルムカートリッジを構成するフィルムスプールの斜視図である。
【図９】フィルムの使用状態表示ができるようにしたことを示す、写真フィルムカートリッジの一方から見た側面図である。
【図１０】回転ドアを作動する状態を示す図である。
【符号の説明】
１  写真フィルムカートリッジ
３  シェル
５  シェルトップ
７  シェルボトム
９  回転ドア
１１  スプール
１５  コア
１７  ロック部材
２１  山
２３  谷
２５，２７  フランジ円板
３１  カム
３５，３７，３９，４１  切り抜き窓
３３  突起
４３  使用状態表示部材
４４  使用状態表示部分
４５  バーコード円板（扇形ディスク）
１０５  巻上ノブ
１０６  ドアドライバ
１０８  ツールアクセスカバー
【図１】
0003740687.tif 000002
【図２】
0003740687.tif 000003
【図３】
0003740687.tif 000004
【図４】
0003740687.tif 000005
【図５】
0003740687.tif 000006
【図６】
0003740687.tif 000007
【図７】
0003740687.tif 000008
【図８】
0003740687.tif 000009
【図９】
0003740687.tif 000010
【図１０】
0003740687.tif 000011